(57)【特許請求の範囲】
【請求項１】
栽培容器でのみ使用するパイナップル栽培用の培地であって、
当該培地が、琉球松を破砕処理して得られた次の３種類（Ａ〜Ｃ）の長さと幅の木材チップのみからなり、
当該３種類（Ａ〜Ｃ）の木材チップが、それぞれ次の割合で使用されている
ことを特徴とするパイナップル栽培用培地。
長さ                幅            割合
Ａ          〜  ５ｍｍ          〜３ｍｍ  ２０〜３０％
Ｂ    ５ｍｍ〜５０ｍｍ    ３ｍｍ〜１０ｍ  ２５〜３５％
Ｃ  ５０ｍｍ〜          １０ｍｍ〜        ４０〜５０％
【請求項２】
琉球松を破砕処理して得られた次の３種類（Ａ〜Ｃ）の長さと幅の木材チップのみからなり、
当該３種類（Ａ〜Ｃ）の木材チップが、それぞれ次の割合で使用されているパイナップル栽培用の培地を使って栽培容器で栽培するパイナップル栽培において、
パイナップル苗の植付１週間後からは、２週間に１回の割合で、パイナップル栽培用培地全体に水が浸透するまで灌水し、
パイナップル結実後からは、５日〜７日に１回の割合で、パイナップル栽培用培地全体に水が浸透するように十分に灌水する
ことを特徴とするパイナップルの栽培方法。
長さ                幅            割合
Ａ          〜  ５ｍｍ          〜３ｍｍ  ２０〜３０％
Ｂ    ５ｍｍ〜５０ｍｍ    ３ｍｍ〜１０ｍ  ２５〜３５％
Ｃ  ５０ｍｍ〜          １０ｍｍ〜        ４０〜５０％
【発明の詳細な説明】
【技術分野】
【０００１】
本発明は、パイナップルの栽培用培地及びその栽培方法に関する。
【背景技術】
【０００２】
パイナップルは、熱帯アメリカ原産のパイナップル科の多年草であり、実を収穫後、根茎から再び芽を出し、これが成長すると先端部に結実する。しかしながら、収穫ごとに実が小さくなっていくため、株を３年以上用いることは少ないとされている。
【０００３】
熱帯のやせた酸性土壌や乾燥した環境でよく育ち、降った雨水を葉の付け根に集めて葉面から吸収する。そのため、葉面散布肥料が効果的であるとされている。
【０００４】
自然下の主収穫期は、たとえば沖縄では7〜9月と11〜翌年2月である。また、沖縄県では、北部地域の赤土土壌で多く栽培されている。
【０００５】
地域の土壌特性によらず、連作障害や病害の拡散がなく、高収率で、長期にわたる親植物の栽培が必要な多年性農作物の密植栽培が可能な栽培方法として、特許第３７００９２３号公報が開示されている。これは、火山性軽石を培土として用いたものである。
【０００６】
また、熟度5に完熟し、糖度が高く、然も輸送に耐え、芯が生食できるパイナップル果実と、そのようなパイナップル果実の収穫を可能にする栽培方法として、特許第２８９２０６０号公報が開示されている。
【特許文献１】特許第３７００９２３号公報
【特許文献２】特許第２８９２０６０号公報
【発明の開示】
【発明が解決しようとする課題】
【０００７】
上記の特許第３７００９２３号公報は、地域の土壌特性に依存しないので、どこでも栽培が可能となる。しかしながら、軽石培地であり、軽石材としてシラスを使用しており、ｐＨは６程度である。
【０００８】
また、灌水方法として点滴掛流しを行っており、酸性環境を維持するために肥料成分（培養液）を酸性に調整する必要があるなど、特別な灌水設備を必要とし、酸性土壌にするための薬剤が必要となる。また、シラスなどの軽石は保肥能力は低い。
【０００９】
また、上記の特許第２８９２０６０号公報では、酸性土壌を用いて、雨水を排除して栽培し、アルカリ性肥料を施肥するものである。
【００１０】
本発明の課題は、パイナップルを地域の土壌特性に依存せずに、赤土などの酸性土壌を必要とせずに、かつ、栽培管理が容易なポット栽培などが可能であり、収量を増やすことを可能とするパイナップルの栽培用培土及びその栽培方法を提供することにある。
【課題を解決するための手段】
【００１１】
本発明は、上記の課題を解決するために本発明では、枯木材を破砕処理した木材チップを用いたことを特徴とするパイナップルの栽培用培地としたものである。
【００１２】
該枯木は、樹木が枯れた後に伐採したものでもよく、例えば、松くい虫により枯れた松の木を伐採し、除虫処理、殺虫処理した後の木材などでも良い。
【００１３】
また、本発明では、木材を破砕処理し、枯木化した後の木材チップを用いたことを特徴とするパイナップルの栽培用培地としたものである。
【００１４】
若木などでも破砕処理後、野積みして１ヶ月から３ヶ月程度で枯れ木の木材チップとなる。
【００１５】
木材は、枯木化すると、適度の保水性を有することとなり、軽石などと異なり、保湿性の良好な培地となる。
【００１６】
木材チップの大きさは、長さが１ｍｍ〜１５０ｍｍ程度、太さが０．１〜１０ｍｍ程度が好ましい。破砕材であるため、大きさは様々である。
【００１７】
また、本発明では、前記の木材チップが、針葉樹による木材チップであることを特徴とするパイナップルの栽培用培地としたものである。針葉樹はいずれの針葉樹でも良い。
【００１８】
また、本発明では、前記の木材チップは、琉球松による木材チップであることを特徴とするパイナップルの栽培用培地としたものである。
【００１９】
また、本発明では、前記の木材チップは、破砕処理後、破砕片の大きさにより分別し、分別された破砕片を混合して用いられることを特徴とすることを特徴とするパイナップルの栽培用培地としたものである。
【００２０】
該破砕処理は、伐採された木材の破砕処理に使用される破砕装置により破砕されるものであり、長さが１５ｃｍ以下、幅３ｃｍ以内に破砕するものである。
【００２１】
大きさの分別は、例えば、長さ５ｍｍ以下、幅が３ｍｍ以下の小サイズの破砕片と、長さ５〜１５ｃｍ、幅が１〜３ｃｍの大サイズの破砕片と、それらの中間の大きさの中サイズの破砕片の３種類に分別しても良い。
【００２２】
これら各サイズの破砕片を例えば、大サイズ破砕片を４０〜５０％、中サイズ破砕片を２５〜３５％、小サイズ破砕片を２０〜３０％に配合して使用しても良い。
【００２３】
大サイズ破砕片の割合が多いと排水が良くなり、小サイズ破砕片が多いと保水性が高くなる。大サイズのみ、あるいは、小サイズのみでは、苗の植付けが困難である。
【００２４】
大サイズ破砕片は、栽培容器のサイズに適合した大きさに調整すると良い。
【００２５】
また、本発明では、前記の木材チップの酸性度が３．０〜６．０であることを特徴とするパイナップルの栽培用培地としたものである。
【００２６】
酸性度は、微生物の繁殖を抑制できる範囲であればよく、３．５〜６．０でも良く、さらに４．０〜６．０でも良い。さらに好適には、４．０〜５．５でも良い。琉球松の木材チップの酸性度は、４．０〜４．５程度である。
【００２７】
また、本発明では、パイナップルを前記の培地を用い、栽培容器で栽培することを特徴とするパイナップルの栽培方法である。該栽培容器は、パイナップルを栽培できる容器であり、灌水を排水できる容器であればいずれでも良く、市販されている栽培ポットやプランターなどを使用しても良い。
【００２８】
また、本発明では、パイナップル苗の植付１週間後より、２週間に１回程度、栽培容器内の培土全体に水が浸透する程度、十分に灌水し、結実後は、５日〜７日に１回、十分に灌水を行うことを特徴とするパイナップルの栽培方法としたものである。
【００２９】
パイナップルは、一般的に少ない灌水で栽培することが行われており、灌水を多くすると障害があるとされていた。しかしながら、本発明の培土においては、十分な灌水を行うことが可能であり、また、十分な灌水により、成長が促進されるものである。従来のパイナップルに較べて、成長が早い。
【発明の効果】
【００３０】
本発明では、以下に示すような効果がある。
【００３１】
１）土壌特性に依存されないので、どこでも栽培が可能となる。
【００３２】
２）ポット栽培ができるので、屋上やベランダなど一般家庭でも栽培が可能である。
【００３３】
３）土壌を用いず、木材チップによる培土であるため、灌水により土壌が流されてしまう問題がない。
【００３４】
４）酸性培土であるため、微生物の繁殖が抑止され、有機化が抑えられるので、培土の減少が少なく、培土の追加の問題がない。
【００３５】
５）枯木化した木材チップであり、保肥性が高い。
【００３６】
６）軽量であり、運搬しやすい。
【００３７】
７）ハウス栽培などで大量にポット栽培が可能であり、栽培管理が容易で、品質が高く、収量を高めることができる。
【発明を実施するための最良の形態】
【００３８】
以下に、本発明による実施の形態を図面を用いて説明する。
【００３９】
図１は、本発明によるパイナップルの栽培用培土の製造工程を示すフロー図である。本実施例の木材は、琉球松の枯れ木材を用いた。
【００４０】
以下に本発明のパイナップルの栽培用培土の製造方法の手順について説明する。
【００４１】
Ｓ−１）枯木採取
松くい虫により枯れた琉球松を伐採して採取した（図２）。枯れた琉球松であればいずれでも良い。
【００４２】
Ｓ−２）破砕処理
採取した枯木材を破砕装置により破砕した(図３）。破砕片は、長さが１５ｃｍ以下、幅が３ｃｍ以下となるように破砕した。（図４）
【００４３】
Ｓ−３）分別処理
破砕片を大きさにより３種類に分別した（図５）。（１）は、小破砕片であり、長さ５ｍｍ以下、幅３ｍｍ以下の破砕片を分別したものである。（２）は、中破砕片であり、長さ５〜５０ｍｍ、幅３〜１０ｍｍの破砕片を分別したものである。（３）は大破砕片であり、長さ５０ｍｍ以上、幅１０ｍｍ以上の破砕片を分別したものである。
【００４４】
Ｓ−４）配合処理
分別した各破砕片を混合した。全体に対して、小破砕片が２０重量％、中破砕片が３０重量％、大破砕片が５０重量％の割合で混合し、木材チップ培土とした。
【００４５】
このように混合した木材チップ培土は、排水性が良く、かつ、適度の保湿性を有しており、酸性度は４．２６であった。
【００４６】
図６は、本発明によるパイナップルの栽培用培土の他の製造工程を示すフロー図である。本実施例の樹木は、琉球松を用いた。
【００４７】
Ｔ−１）琉球松採取
琉球松を伐採し、採取した。
【００４８】
Ｔ−２）破砕処理
採取した琉球松を破砕装置により破砕処理をした。破砕サイズは、長さ１５ｃｍ以内、幅３ｃｍ以内とした。
【００４９】
Ｔ−３）枯木処理
破砕片を６ヶ月間野積みして枯木処理を行った。生木による破砕片が枯木による破砕片となった。適度に腐朽しており、保湿性を有していた。
【００５０】
Ｔ−４）分別処理
枯木化した破砕片を前記の分別処理と同様に、小破砕片、中破砕片、大破砕片の３種類に分別した。
【００５１】
Ｔ−５）配合処理
分別した破砕片を混合した。全体に対して、小破砕片が２５重量％、中破砕片が３０重量％、大破砕片が４５重量％の割合で混合し、木材チップ培土とした。
【００５２】
このように混合した木材チップ培土は、排水性が良く、かつ、適度の保湿性を有しており、酸性度は４．２０であった。
【００５３】
次に、本発明によるパイナップルの栽培用培土を用いた栽培方法について詳細に説明する。本実施例では、前記の図１に示す木材チップ培土を用いた。
【００５４】
Ｈ−１）ポット充填
木材チップ培土をポットに充填した（図７）。栽培ポットは、高さ２０ｃｍ、底面径１６ｃｍ、上面径１９ｃｍで容量１９リットルのものを使用した。充填後の重量は、２．２５ｋｇであった。
【００５５】
Ｈ−２）植栽
栽培ポットの木材チップ培土に、パイナップルの苗を植付けした(図８）。
【００５６】
Ｈ−３）灌水
植え付けた栽培ポットをハウス内に配置し、植付け後、１週間後より、灌水を開始した。灌水は、培土全体に水が浸透する程度に十分におこなった。灌水は、２週間に１回とした。
【００５７】
Ｈ−４）追肥
植付けより１ヶ月後に追肥を行った。追肥は、パイナップル専用肥料を用いた。琉球肥料（株）製のくみあい配合肥料  パイン２号を使用した。栽培ポットに該肥料を４０〜５０ｇ追肥した。
【００５８】
Ｈ−５）結実後の灌水
開花後、結実した後は、１週間に１回の割合で灌水を行い、収穫まで継続した。
【００５９】
Ｓ−５）果実収穫
育成後２年半で収穫ができる(図９）。
【００６０】
〔比較試験１〕
従来のパイナップルのポット栽培においては、酸性土壌である赤土を用いたものであった。本発明の木材チップ培土によるポット栽培と、従来の赤土によるポット栽培との育成状況を比較検討した。
【００６１】
従来の赤土によるポット栽培においては、保水性・保肥が悪く、１つの苗を育成するためには、ポットの大きさは、高さ３２ｃｍ、底面径２１、５ｃｍ、上面径２６ｃｍのものを用い、赤土容量が１１．８リットル必要であり、重量は１５ｋｇとなった。
【００６２】
パイナップルのポット栽培においては、本発明による木材チップ培土が４．５リットルに対して、赤土培土は、１１．８リットルであり、２．６倍以上である。
【００６３】
また重量においては、本発明の木材チップ培土が２．２５ｋｇに対して赤土培土では１５ｋｇであり、約６．７倍であり、作業性にも大きく影響するものである。
【００６４】
また、赤土の場合には、使用後の廃棄処理の問題などもある。本発明の木材チップ培土では、自然腐朽するので環境への影響がない。
【００６５】
〔比較試験２〕
同一の栽培ポット（７号ポット）を用い、琉球松、広葉樹、ココチップ、おが屑、赤土（国頭マージ土壌）の５つの培地を用いて、パイナップルの鉢植栽培を行い、生育状況の比較試験を行った。
【００６６】
図１０に試験結果の一覧表を示す。
【００６７】
結果から明らかなように、琉球松チップは、草丈が６５ｃｍとなり、他の４つの培地と比較すると、琉球松チップの場合を１００とすると、オガクズが７２％、赤土（国頭マージ土壌）が６５％、広葉樹チップが６２％、ココチップが４９％であった。
【００６８】
尚、果実品質については、糖度測定では糖度１６度以上であり、食味調査でも、他の培地に比べて同等以上であった。
【００６９】
この琉球松チップ培地は、パインアップルの育成に良いとされる、ｐＨ６．０以下の条件であり、根の伸長に良好とされるｐＨ４．５〜５．２の条件にも合致した状態で育成されるためと思われる。
【００７０】
また、パイナップルは、着生植物と呼ばれるほど育成において、培地中の酸素の存在が最重要な因子となる好気性作物であり、本発明では、鉢植栽培であるため、培地の腐熟が遅く、果実が熟成するまでの長期間にわたって鉢内の空気の流通が良い。
【００７１】
広葉樹チップ培地では、アリ類が巣を作りやすく、ドウガネムシの幼虫、ミミズなどの小動物の発生が多く見られた。ドウガネムシの幼虫は、根を食害する。アリ類はパインコナカイガラムシと共生し、根の食害によって育成を抑制する。これに対して琉球松チップ培地では、これらの小動物の発生はほとんど見られなかった。
【００７２】
また、オガクズ及び赤土（国頭マージ土壌）培地では、育成が不揃いであり、広葉樹培地では、培地の減量が問題となった。
【００７３】
さらに琉球松チップ培地で育成した根には、図１１に示すように、糸状菌（カビ菌）が多く共生し、パインアップルに養水分を供給し、育成を助けていると思われる。
【００７４】
糸状菌（カビ菌）が植物の根に共生的に定着したものを菌根菌と呼ぶが、好気性条件下では、パインアップルの根にも菌根菌が共生することが知られている。
【００７５】
本発明では、根に共生する糸状菌は、約１年経過すると目視できるようになったが、共生が多いほど育成は良好であった。（果実成熟時の草丈は、共生量が多い株では、１４０ｃｍ、少ない株では、１２０ｃｍであった。）
【００７６】
これらの糸状菌類は、水分過多、酸素不足状態では、繁殖せず、通気性、透水性の良い環境でないと繁殖しないとされている。
【００７７】
本発明においては、琉球松チップを培地として鉢植栽培するため、長期間にわたって通気性、透水性が良好となることで、糸状菌が根に多く共生するものとと思われる。
【００７８】
次に、本発明の効果的な活用となる用途について説明する。
【００７９】
本発明によれば、パインアップル栽培により、ヒートアイランド現象の解消対策として活用することができる。
【００８０】
近年、このヒートアイランド対策として、植物栽培にる緑化運動が盛んに行われている。しかし、パインアップルのような果実は、栽培が難しいことからあまり活用されていなかった。
【００８１】
本発明では、軽量なポット栽培であるため、例えば、屋上緑化、路上緑化、店頭緑化、家庭菜園など室内、室外を問わず様々な場所での栽培が可能となるので、パインアップル栽培によってＣＯ2削減に大きく貢献できる可能性がある。しかも、果実を食することもできる。
【００８２】
また、本発明の他の効果的な活用法として、観光用としての活用の可能性がある。
【００８３】
従来、パインアップルが観葉植物として活用されることはなかったが、本発明では、ポット栽培であるため、それまでパインアップルの栽培ができなかった地域においても、容易に栽培が可能となる。
【００８４】
例えば、観光ホテルや空港、公共施設などに観葉植物のように、飾ることができ、パインアップル庭園なども可能となり、さらには果実を食することもできるため、培地の問題からパインアップルの栽培が困難であった地域においても、パインアップル狩りやパインアップルジュース工場などのパインアップルをメインとした観光施設なども可能となる。
【図面の簡単な説明】
【００８５】
【図１】本発明によるパイナップルの栽培用培土の製造工程を示すフロー図である。
【図２】採取した枯琉球松材を示す図面代用写真である。
【図３】破砕装置による破砕状況を示す図面代用写真である。
【図４】破砕後の破砕片を示す図面代用写真である。
【図５】分別された破砕片を示す図面代用写真である。
【図６】本発明によるパイナップルの栽培用培土の他の製造工程を示すフロー図である。
【図７】木材チップ培土をポットに充填した状態を示す図面代用写真である。
【図８】木材チップ培土にパイナップルの苗を植え付けた状態を示す図面代用写真である。
【図９】木材チップ培土によるパイナップルの育成状況を示す図面代用写真である。
【図１０】ポット栽培の比較試験結果の一覧を示す図である。
【図１１】琉球松チップ培土中のパイナップルの根に共生した糸状菌を示す写真である。
【符号の説明】
【００８６】
Ｓ−１  枯木採取
Ｓ−２  破砕処理
Ｓ−３  分別処理
Ｓ−４  配合処理
Ｓ−５  木材チップ培土
Ｔ−１  琉球松採取
Ｔ−２  破砕処理
Ｔ−３  枯木処理
Ｔ−４  分別処理
Ｔ−５  配合処理
Ｔ−６  木材チップ培土
【図１】
0004908485.tif 000002
【図２】
0004908485.tif 000003
【図３】
0004908485.tif 000004
【図４】
0004908485.tif 000005
【図５】
0004908485.tif 000006
【図６】
0004908485.tif 000007
【図７】
0004908485.tif 000008
【図８】
0004908485.tif 000009
【図９】
0004908485.tif 000010
【図１０】
0004908485.tif 000011
【図１１】
0004908485.tif 000012